(57)【特許請求の範囲】
【請求項１】
底枠と天枠とを複数の柱部材により上下に連結してなる本体内に、ラックマウントタイプの機器を収納可能な機器収納用ラックであって、
前記本体内に、長尺な帯状で、その表面に複数のコネクタ接続部が長手方向に並設されたバスバーと、Ｌ字状に折り曲げられた帯状の銅バーであり、基端部が前記バスバーと電気的に接続された原電部とを有する電源供給部材を、前記原電部の先端側が前記本体内方へ突出するような姿勢で設置し、
前記原電部を介して前記バスバーを外部電源と電気的に接続した状態において、前記コネクタ接続部へ前記機器に備えられたコネクタを接続すると、前記機器への電源供給が可能となることを特徴とする機器収納用ラック。
【請求項２】
前記電源供給部材が、前記柱部材の内側に沿って、前記天枠近傍から前記底枠近傍にかけて設けられていることを特徴とする請求項１に記載の機器収納用ラック。
【発明の詳細な説明】
【技術分野】
【０００１】
本発明は、たとえばラックマウントタイプの電気機器等を収納可能な機器収納用ラックに関するものである。
【背景技術】
【０００２】
従来、たとえばラックマウントタイプの電気機器や通信機器を収納可能な機器収納用ラックとしては、種々のものが考案されている。そして、そのような機器収納用ラックに収納された各機器に電源を供給するための構成としては、たとえば特許文献１に記載されているようなラック用電源ユニットを同じく機器収納用ラックに収納し、当該ラック用電源ユニットに設けられたコンセントへ各機器のプラグを差し込み接続させる構成を採用していた。
【先行技術文献】
【特許文献】
【０００３】
【特許文献１】実開平６−４１１９０号公報
【発明の概要】
【発明が解決しようとする課題】
【０００４】
しかしながら、上記構成によれば、ラック用電源ユニットを収納するための収納スペースだけ、機器収納用ラック内における他の機器の収納スペースが狭くなってしまうという問題がある。また、他の機器に設ける先端にプラグを有するケーブルの長さは、少なくとも他の機器とラック電源ユニットとの距離分だけ必要となるため、各機器に比較的長いケーブルを設ける必要があり、機器収納用ラック内におけるケーブルの引き回しが煩雑になるという問題もある。
【０００５】
そこで、本発明は、上記問題に鑑みなされたものであって、ラック用電源ユニットを設置することなく他の機器へ電源を供給することができる上、ケーブルの引き回しに係る手間を軽減することができる機器収納用ラックを提供しようとするものである。
【課題を解決するための手段】
【０００６】
上記目的を達成するために、本発明のうち請求項１に記載の発明は、底枠と天枠とを複数の柱部材により上下に連結してなる本体内に、ラックマウントタイプの機器を収納可能な機器収納用ラックであって、前記本体内に、長尺な帯状で、その表面に複数のコネクタ接続部が長手方向に並設されたバスバーと、Ｌ字状に折り曲げられた帯状の銅バーであり、基端部が前記バスバーと電気的に接続された原電部とを有する電源供給部材を、前記原電部の先端側が前記本体内方へ突出するような姿勢で設置し、前記原電部を介して前記バスバーを外部電源と電気的に接続した状態において、前記コネクタ接続部へ前記機器に備えられたコネクタを接続すると、前記機器への電源供給が可能となることを特徴とする。
請求項２に記載の発明は、請求項１に記載の発明において、前記電源供給部材が、前記柱部材の内側に沿って、前記天枠近傍から前記底枠近傍にかけて設けられていることを特徴とする。
【発明の効果】
【０００７】
本発明によれば、本体内に、長尺な帯状で、その表面に複数のコネクタ接続部が長手方向に並設されたバスバーを有する電源供給部材を設置し、バスバーを外部電源と電気的に接続した状態において、コネクタ接続部へ機器に備えられたコネクタを接続すると、機器への電源供給が可能となるように構成している。そのため、従来の如く本体内にラック用電源ユニットを収納する必要がない。したがって、従来よりもラック用電源ユニットの収納スペースだけ機器の収納スペースを広く確保することができる。
また、請求項２に記載の発明によれば、電源供給部材を、柱部材の内側に沿って設けているため、電源供給部材を設置することにより機器の収納スペースが狭くならないし、電源供給部材と収納する機器とが干渉するおそれも低く、機器収納用ラック内のスペースの極めて合理的な利用が可能になる。さらに、電源供給部材を、天枠近傍から底枠近傍にかけて設けているため、機器を機器収納用ラック内のどこに収納したとしても近くにコネクタ接続部があり、機器に備えられたコネクタを有するケーブルの長さが短くてすむし、従来と比較すると機器収納用ラック内におけるケーブルの引き回し作業も簡易となる。
【図面の簡単な説明】
【０００８】
【図１】機器収納用ラックを前方及び上方から示した斜視説明図である。
【図２】機器収納用ラックを後方から示した説明図である。
【図３】図２中のＡ−Ａ線断面において電源供給部材の設置位置を示した断面説明図である。
【図４】バスバーの外観を示した斜視説明図である。
【図５】ダクト部材の外観を示した斜視説明図である。
【図６】図１中の領域Ｂを拡大して示した説明図である。
【図７】塞ぎ板を示した説明図である。
【発明を実施するための形態】
【０００９】
以下、本発明の一実施形態となる機器収納用ラック（以下、単に「ラック」と称す）について、図面にもとづき詳細に説明する。
【００１０】
図１は、ラック１を前方及び上方から示した斜視説明図であり、図２は、ラック１を後方から示した説明図である。
ラック１は、４本のフレーム部材を四角形枠状に連結して底枠２を、同様に４本のフレーム部材を四角形枠状に連結して天枠３を夫々構成するとともに、底枠２と天枠３との隅部同士を柱部材４、４・・で連結し、直方体状のフレーム体（本体）として形成されてなる。また、ラック１の左右両側面内側で前部及び後部には、マウントアングル５、５・・が底枠２から天枠３へと架設されており、該マウントアングル５、５・・へ固定金具６、６を介して機器７を固定することにより、当該機器７をラック１内に収納可能となっている。尚、ラック１の上面や下面、左右両側面や背面の開口には、必要に応じてパネルにより閉塞することができるし、ラック１の前面には図示しない前扉を片開き自在に取り付けることができる。
【００１１】
ここで、本発明の要部となるラック１内に収納された機器７へ電源を供給するための構成について、図３〜図７をもとに説明する。
図３は、図２中のＡ−Ａ線断面において電源供給部材１１の設置位置を示した断面説明図である。図４は、バスバー１２の外観を示した斜視説明図であり、図５は、ダクト部材１３の外観を示した斜視説明図である。図６は、図１中の領域Ｂを拡大して示した説明図であり、図７は、塞ぎ板１４、１５を示した説明図である。
【００１２】
ラック１の前方左隅の柱部材４の内側には、当該柱部材４に沿って柱状の上下一対の電源供給部材１１、１１が天板３近傍から底板２近傍にかけて設置されている。各電源供給部材１１は、帯状の銅バーからなるバスバー１２と、バスバー１２を収納可能なダクト部材１３とからなる。バスバー１２は、上下方向へ長い帯状体であって、その表面には複数のコネクタ接続部１６、１６・・が同一方向へ接続部を向けた姿勢で長手方向に並設されており、機器７から延びるコネクタ（図示せず）を接続することで機器７へ電源を供給可能となっている。また、バスバー１２の上部、中央部、及び下部には、ダクト部材１３へネジ止めするためのネジ止め部材１７、１７・・が設けられている。一方、ダクト部材１３は、上下方向に長い帯状の金属板の長手側の端縁を折り曲げて上面視コ字状としてなるもので、折り曲げ部には、コネクタ接続部１６、１６・・と対応する上下間隔で複数の開口窓１８、１８・・が開設されている。そして、ダクト部材１３は、各開口窓１８からコネクタ接続部１６を露出させた状態で折り曲げ部内にバスバー１２を収納可能となっている。
【００１３】
上記電源供給部材１１、１１は、開口窓１８、１８・・から露出するコネクタ接続部１６、１６・・をラック１内側へ向けた姿勢で、上記柱部材４の内側にダクト部材１３をネジ止めすることにより、所定の間隔をおいて上下方向に連設される。尚、電源供給部材１１が設置される柱部材４は、図３に示すように上面視Ｌ字状に形成されており、該柱部材４の内側に、電源供給部材１１のダクト部材１３を固定することによって中空な角柱体となる。
【００１４】
また、上側の電源供給部材１１の下端部と、下側の電源供給部材１１の上端部とには、各電源供給部材１１のバスバー１２を外部電源と接続するための原電部１９が設けられている。各原電部１９は、Ｌ字に折り曲げられた２本の帯状の銅バーからなり、各銅バーの基端部はバスバー１２と電気的に接続されている。さらに、各原電部１９の基端部を覆うように、一対の塞ぎ板１４、１５が取り付けられている。塞ぎ板１４、１５はどちらも金属板を折り曲げてなるもので、原電部１９の基端部を前後から挟み込むように、上下の電源供給部材１１、１１間にわたって架設されている。したがって、原電部１９の先端側は、塞ぎ板１４、１５の前後間での隙間からラック１の内方へ突出した状態となる。
【００１５】
以上のような構成を有するラック１によれば、ラック１内に外部電源と接続されるバスバー１２を設けるとともに、該バスバー１２の表面に複数のコネクタ接続部１６、１６・・を設けており、原電部１９を外部電源と接続した状態において、機器７に備えられたコネクタをコネクタ接続部１６へ接続することにより、機器７への電源供給が可能となる。そのため、従来の如くラック１内にラック用電源ユニットを収納する必要がない。したがって、従来よりもラック用電源ユニットの収納スペースだけ機器７を収納するスペースを広く確保することができる。
【００１６】
また、電源供給部材１１、１１を、前方左隅の柱部材４の内側に沿って上下に設けているため、電源供給部材１１を設置することにより機器７の収納スペースが狭くならないし、電源供給部材１１と収納する機器７とが干渉するおそれも低く、ラック１内のスペースの極めて合理的な利用が可能になる。
さらに、電源供給部材１１、１１を天板３近傍から底板２近傍にかけて設けているため、機器７をラック１内のどこに収納したとしても近くにコネクタ接続部１６があり、機器７から延びるコネクタを有するケーブルの長さが短くてすむし、従来と比較するとラック１内におけるケーブルの引き回し作業も簡易となる。
加えて、柱部材４の内側にダクト部材１３を固定することで、当該箇所が中空な角柱状となるように構成しているため、電源供給部材１１、１１が取り付けられる柱部材４の強度の向上を図ることができる。
【００１７】
なお、本発明に係る機器収納用ラックは、上記実施形態の態様に何ら限定されるものではなく、ラックそのものの構成は勿論、電源供給部材の構成についても必要に応じて適宜変更することができる。
【００１８】
たとえば、上記実施形態では、上下方向に立設される柱部材の内側に沿って電源供給部材を設けているが、たとえば底枠及び天枠を構成するフレーム部材に沿って（すなわち、ラック内の上下に）電源供給部材を設けることも可能である。当該構成を採用しても、ラック用電源ユニットを収納しなくてすむことによるラック内のスペースの有効利用化を図ることができる。
また、原電部の位置についても、上記実施形態の位置に何ら限定されることはなく、適宜設計変更可能であるし、上下に２つの電源供給部材を連設するのではなく、上下方向に長い１つの電源供給部材を天枠近傍から底枠近傍にかけて設置するように構成しても何ら問題はない。
【符号の説明】
【００１９】
１・・ラック（機器収納用ラック）、２・・底枠、３・・天枠、４・・柱部材、７・・機器、１１・・電源供給部材、１２・・バスバー、１３・・ダクト部材、１４、１５・・塞ぎ板、１６・・コネクタ接続部、１７・・ネジ止め部材、１８・・開口窓、１９・・原電部。
【図１】
0005730118.tif 000002
【図２】
0005730118.tif 000003
【図３】
0005730118.tif 000004
【図４】
0005730118.tif 000005
【図５】
0005730118.tif 000006
【図６】
0005730118.tif 000007
【図７】
0005730118.tif 000008